(57)【要約】【課題】映像表示と計測信号とを同期してそれぞれ独立して表示、蓄積のための信号処理することが容易な映像モニタシステム、映像モニタ方法、ビデオサーバを提供する。【解決手段】送信サーバＳａは、計測データを映像音声信号、メタデータと共にＭＸＦラッパ３でＭＸＦファイル化し、記憶蓄積部ＭａにＭＸＦカプセル４にして書込記憶し、それを通信Ｉ／ＦＣａ、Ｃｂとネットワークとを介して受信サーバＳｂへ送信し記憶蓄積部Ｍｂに書込記憶する。受信サーバＳｂは、ＭＸＦアンラッパ５でＭＸＦカプセル４から分離した映像・音声信号を効果処理部７を介して重畳処理部９へ入力する一方、分離出力された計測データを出力Ｉ／Ｆ８を介して重畳処理部９に入力することにより、それぞれの信号とデータを独立に制御処理部１１が重畳表示のための制御をして表示器１０に重畳表示する。【選択図】図１
2009239722.tif 000002
【特許請求の範囲】
【請求項１】
モニタ映像とそのモニタ映像に係わる計測データの情報とを表示器の同一画面に表示する映像モニタシステムにおいて、
前記モニタ映像の映像・音声信号を入力して符号化する符号化手段と、
前記モニタ映像に係わる計測データを入力してファイル化を行う入力インタフェース手段と、
前記モニタ映像信号を符号化したファイルと前記計測データのファイルとをＭＸＦファイル化するのに係わるメタデータやコマンドを入力する制御入力手段と、
前記メタデータによって前記映像・音声信号と前記計測データとのファイルをラッピングしてＭＸＦファイル化したＭＸＦカプセルを生成して出力するＭＸＦラッパ手段と、
前記ＭＸＦカプセルを入力して前記映像・音声信号と前記計測データと前記メタデータとに分離した独立した信号にして出力するＭＸＦアンラッパ手段と、
前記分離されて出力された前記映像・音声信号を入力して前記表示器で表示する効果に係わる効果処理を行い第１の映像信号にして出力する効果処理手段と、
前記分離されて出力された計測データを第２の映像信号に変換して出力する出力インタフェース手段と、
前記第１、第２の映像信号を入力して重畳し、重畳映像モニタ信号を生成して表示器に出力する重畳手段と、
前記第１、第２の映像信号に対してそれぞれ独立して前記表示器での表示の調整に係わる制御処理をする制御処理手段とを
備えることを特徴とする映像モニタシステム。
【請求項２】
前記ＭＸＦラッパ手段から出力される前記ＭＸＦカプセルは、通信手段を介して前記ＭＸＦアンラッパ手段へ入力される事を特徴とする請求項１記載の映像モニタシステム。
【請求項３】
前記ＭＸＦラッパ手段から出力される前記ＭＸＦカプセルは、送信側の記憶蓄積手段に一度書込記憶され、その後読み出されてから通信手段を介して受信側の記憶蓄積手段に書込記憶され、更に読み出されてから前記ＭＸＦアンラッパ手段へ入力される事を特徴とする請求項１記載の映像モニタシステム。
【請求項４】
モニタ映像と監視するモニタ映像に係わる計測データ情報とを表示器の同一画面に表示する映像音声信号を出力するビデオサーバにおいて、
前記モニタ映像の映像・音声信号を入力して符号化する符号化手段と、
前記モニタ映像に係わる計測データを入力してファイル化する入力インタフェース手段と、
前記モニタ映像信号を符号化したファイルと前記計測データのファイルとをＭＸＦファイル化するのに係わるメタデータやコマンドを入力する制御入力手段と、
前記メタデータによって前記映像・音声信号と前記計測データとのファイルをラッピングしてＭＸＦファイル化したＭＸＦカプセルを生成して出力するＭＸＦラッパ手段と、
前記ＭＸＦカプセルを入力して書込記憶する記憶蓄積手段と、
前記ＭＸＦカプセルを前記記憶蓄積手段から読み出し、入力して前記映像・音声信号と前記計測データと前記メタデータとに分離した独立した信号にして出力するＭＸＦアンラッパ手段と、
前記分離されて出力された前記映像・音声信号を入力して前記表示器で表示する効果に係わる効果処理を行い第１の映像信号にして出力する効果処理手段と、
前記分離されて出力された計測データを第２の映像信号に変換して出力する出力インタフェース手段と、
前記第１、第２の映像信号を入力して重畳し、重畳映像モニタ信号を生成して表示器に出力する重畳手段と、
前記重畳映像モニタ信号を生成するために前記第１、第２の映像信号をそれぞれ独立して調整する制御処理手段とを
備えることを特徴とするビデオサーバ。
【請求項５】
計測データの入力Ｉ／Ｆ手段及び出力Ｉ／Ｆ手段と、映像・音声信号の符号化手段と、ＭＸＦラッパと、ＭＸＦアンラッパと、効果処理手段と、重畳手段、制御手段とを備え、モニタ映像をモニタ映像に係わるメタデータによりラッピングしたＭＸＦファイル化を行い、モニタ映像と監視するモニタ映像に係わる計測データの情報とを表示器の同一画面に表示する映像モニタ方法において、
前記ＭＸＦラッパは、前記符号化手段により符号化された前記モニタ映像の映像・音声信号と、入力インタフェース手段によりファイル化された前記計測データとを、前記メタデータでラッピングしたＭＸＦファイル化を行いＭＸＦカプセルを生成し、
前記ＭＸＦアンラッパは、前記生成されたＭＸＦカプセルを入力し、前記映像・音声信号と、前記計測データと前記メタデータとに分離した信号にして出力し、
前記効果処理手段は、前記分離された映像・音声信号を入力して前記表示器で表示する効果に係わる効果処理を行い第１の映像信号にして出力し、
前記出力Ｉ／Ｆ手段は、前記分離された計測データを第２の映像信号に変換して出力し、
前記制御手段は、前記第１、第２の映像信号の表示の調整に係わる制御をそれぞれ独立して行い、
前記重畳手段は、前記制御された前記第１、第２の映像信号を入力して重畳映像モニタ信号を生成して前記表示器に出力する
ことを特徴とする映像モニタ方法。
【発明の詳細な説明】
【技術分野】
【０００１】
本発明は、映像データと、映像に同期した計測データを取り扱う映像モニタシステム、およびビデオサーバ映像モニタ方法に関する。
【背景技術】
【０００２】
従来より、隔たった場所の間で映像を監視しながら、監視映像に係わる監視データを監視映像信号に多重して受信側で監視映像と監視データを同一画面に表示する映像処理システムがある（例えば、特許文献１。）。
【０００３】
この方法では、映像に計測情報が重畳されて表示されるので、監視に不便な場合も生じるが、この計測データを映像表示から削除することが出来ない。また、別の方法として、計測データと映像信号とを別系統にして伝送し受信側で多重処理し、計測データが不要な場合は計測データを多重表示しない方法もあるが、伝送チャネルが復系統必要である。
【０００４】
一方、遠隔監視のみならず、映像監視を行いそれに同期した計測データを記録保存する場合、最初の方法である映像記録を行った場合、記憶された映像信号から計測データの表示を削除出来ない問題があるので、映像と計測情報を独立して処理出来ない。
【０００５】
また、後者の方法では、映像と計測データを同期して処理するために映像信号と計測信号との両者に共通なタイムタグ等を準備しなければならず、多重及び蓄積記録が複雑になる問題があった。
【特許文献１】特開２００６−１９７４８０号公報  （第１６頁、第１４図）
【発明の開示】
【発明が解決しようとする課題】
【０００６】
従来の計測情報を取り扱う映像モニタシステムは、映像と計測信号を同期して蓄積する処理が複雑になること、また、映像信号と計測信号が多重表示される画面から計測情報を削除出来ない問題が有った。
【０００７】
本発明は、上記問題を解決するためになされたもので、映像表示と計測信号とを同期してそれぞれ独立して表示、蓄積のための信号処理することが容易な映像モニタシステム、映像モニタ方法、ビデオサーバを提供することを目的とする。
【課題を解決するための手段】
【０００８】
上記目的を達成するために、本発明の映像モニタシステムは、モニタ映像とそのモニタ映像に係わる計測データの情報とを表示器の同一画面に表示する映像モニタシステムにおいて、前記モニタ映像の映像・音声信号を入力して符号化する符号化手段と、前記モニタ映像に係わる計測データを入力してファイル化を行う入力インタフェース手段と、前記モニタ映像信号を符号化したファイルと前記計測データのファイルとをＭＸＦファイル化するのに係わるメタデータやコマンドを入力する制御入力手段と、前記メタデータによって前記映像・音声信号と前記計測データとのファイルをラッピングしてＭＸＦファイル化したＭＸＦカプセルを生成して出力するＭＸＦラッパ手段と、前記ＭＸＦカプセルを入力して前記映像・音声信号と前記計測データと前記メタデータとに分離した独立した信号にして出力するＭＸＦアンラッパ手段と、前記分離されて出力された前記映像・音声信号を入力して前記表示器で表示する効果に係わる効果処理を行い第１の映像信号にして出力する効果処理手段と、前記分離されて出力された計測データを第２の映像信号に変換して出力する出力インタフェース手段と、前記第１、第２の映像信号を入力して重畳し、重畳映像モニタ信号を生成して表示器に出力する重畳手段と、前記第１、第２の映像信号に対してそれぞれ独立して前記表示器での表示の調整に係わる制御処理をする制御処理手段とを備えることを特徴とする。
【０００９】
また本発明のビデオサーバは、モニタ映像と監視するモニタ映像に係わる計測データ情報とを表示器の同一画面に表示する映像音声信号を出力するビデオサーバにおいて、前記モニタ映像の映像・音声信号を入力して符号化する符号化手段と、前記モニタ映像に係わる計測データを入力してファイル化する入力インタフェース手段と、前記モニタ映像信号を符号化したファイルと前記計測データのファイルとをＭＸＦファイル化するのに係わるメタデータやコマンドを入力する制御入力手段と、前記メタデータによって前記映像・音声信号と前記計測データとのファイルをラッピングしてＭＸＦファイル化したＭＸＦカプセルを生成して出力するＭＸＦラッパ手段と、前記ＭＸＦカプセルを入力して書込記憶する記憶蓄積手段と、前記ＭＸＦカプセルを前記記憶蓄積手段から読み出し、入力して前記映像・音声信号と前記計測データと前記メタデータとに分離した独立した信号にして出力するＭＸＦアンラッパ手段と、前記分離されて出力された前記映像・音声信号を入力して前記表示器で表示する効果に係わる効果処理を行い第１の映像信号にして出力する効果処理手段と、前記分離されて出力された計測データを第２の映像信号に変換して出力する出力インタフェース手段と、前記第１、第２の映像信号を入力して重畳し、重畳映像モニタ信号を生成して表示器に出力する重畳手段と、前記重畳映像モニタ信号を生成するために前記第１、第２の映像信号をそれぞれ独立して調整する制御処理手段とを備えることを特徴とする。
【００１０】
更に本発明の映像モニタ方法は、計測データの入力Ｉ／Ｆ手段及び出力Ｉ／Ｆ手段と、映像・音声信号の符号化手段と、ＭＸＦラッパと、ＭＸＦアンラッパと、効果処理手段と、重畳手段、制御手段とを備え、モニタ映像をモニタ映像に係わるメタデータによりラッピングしたＭＸＦファイル化を行い、モニタ映像と監視するモニタ映像に係わる計測データの情報とを表示器の同一画面に表示する映像モニタ方法において、前記ＭＸＦラッパは、前記符号化手段により符号化された前記モニタ映像の映像・音声信号と、入力インタフェース手段によりファイル化された前記計測データとを、前記メタデータでラッピングしたＭＸＦファイル化を行いＭＸＦカプセルを生成し、前記ＭＸＦアンラッパは、前記生成されたＭＸＦカプセルを入力し、前記映像・音声信号と、前記計測データと前記メタデータとに分離した信号にして出力し、前記効果処理手段は、前記分離された映像・音声信号を入力して前記表示器で表示する効果に係わる効果処理を行い第１の映像信号にして出力し、前記出力Ｉ／Ｆ手段は、前記分離された計測データを第２の映像信号に変換して出力し、前記制御手段は、前記第１、第２の映像信号の表示の調整に係わる制御をそれぞれ独立して行い、前記重畳手段は、前記制御された前記第１、第２の映像信号を入力して重畳映像モニタ信号を生成して前記表示器に出力することを特徴とする。
【発明の効果】
【００１１】
本発明によれば、映像表示と計測信号とを同期しかつ、それぞれ独立して表示、蓄積のための信号処理することが容易な映像モニタシステム、映像モニタ方法、ビデオサーバを提供することができる。
【発明を実施するための最良の形態】
【００１２】
以下、図面を参照して本発明の実施例を説明する。
【実施例】
【００１３】
図１は、本発明の実施例に係わる映像モニタシステムの構成を説明する機能ブロック図である。  
図１において、映像モニタシステムは、映像・音声信号、計測データをメタデータによってファイル管理してＭＸＦファイル化処理するシステムで、送信サーバＳａと受信サーバＳｂとを備える。
【００１４】
送信サーバＳａは、モニタ対象となる映像・音声信号を符号化する符号化装置（以下、ＥＮＣと略す。）１、映像・音声信号と対応する計測データをファイル化するための入力Ｉ／Ｆ２、これらの信号やデータをメタデータによってラッピングしてＭＸＦファイルにするＭＸＦラッパ３、ＭＸＦファイル（以下、１つのまとまったＭＸＦファイルを便宜上、ここではＭＸＦカプセル４、と称する。）を蓄積記録する記憶蓄積部Ｍａ、内部時計Ｔａ、制御処理部１１ａ、制御入力部１２ａ、およびＭＸＦカプセル４を記憶蓄積部Ｍａから読み出されたＭＸＦカプセル４をネットワークを介して受信サーバＳｂへ送信する通信Ｉ／ＦＣａを備える。
【００１５】
ＭＸＦカプセル４は、映像ファイル（ｆ）４１、音声ｆ４２、メタデータｆ４３と、計測データｆ４４で構成される。なお、映像ｆ４１と音声ｆ４２とは、１つの映像・音声ファイルとして処理される場合もある。
【００１６】
上記各構成は、内部バス等でそれぞれの間が接続され、制御処理部１１ａは、入力されるメタデータ、及び制御入力部１２ａからオペレータが入力したコマンドやデータによりＭＸＦファイル化に係わる各構成の動作制御を行う。また、内部時計Ｔａは、映像・音声信号と計測データを同期して処理するためのタイミング情報を出力する。
【００１７】
送信サーバＳａでは、ＭＸＦファイル化する映像・音声信号、計測データの名称はじめ、監視対象の名前、撮影条件等その他付帯する諸編集情報がメタデータとして、制御入力手段１２ａから入力される。制御入力手段としては、キーボード、マウス等のオペレータがコマンドやデータを入力する入力手段、又は、記憶媒体、通信手段等により入力され、制御処理部１１ａは、内部バス等を介してこれらのメタデータを判読する。
【００１８】
また、御処理部１１ａは、制御入力部１２ａを介して入力される、例えば、「ＦＳＴ」、「ＦＥＮ」の様なファイル化開始、終了のコマンドに併せて、ＭＸＦラッパ３の動作を開始し、ＭＸＦラッパ３に入力されるメタデータと、映像・音声信号、計測データの各ファイル化とそれらを組み合わせたＭＸＦカプセル４を生成し、記憶蓄積部Ｍａに書込記憶する制御を行う。
【００１９】
このＭＸＦカプセル４は、メタデータにタイムタグ情報を付加することにより、受信側で、映像・音声信号に、計測データを同期して表示処理することが出来る。
【００２０】
この書込記録されたＭＸＦカプセル４は、制御入力部１２ａを介して入力される、例えば、「Ｓｅｎｄ：ＯＯＯＯ」の様な送信コマンドを制御処理部１１ａが判読することにより、通信Ｉ／ＦＣａとネットワークを介して受信サーバＳｂへ送信される。
【００２１】
なお、この場合、上記「ＦＥＮ」の様な終了コマンドが入力される前に映像・音声信号や計測データを送信したい場合には、例えば、「ＷＲＳｅｎｄ：ＯＯＯＯ」の様な、書込中読み出しコマンドを入力することにより、ラッピングされる映像・音声信号と計測データは、予め入力されているメタデータの指定する組のファイルデータがパケット化され、「ＷＲＳｅｎｄ：ＯＯＯＯ」の書込中読み出しコマンドに対応するヘッダ情報と共に受信サーバＳｂへ送信される。
【００２２】
受信サーバＳｂは、記憶蓄積部Ｍｂ、ネットワークを介してＭＸＦカプセル４を受信し、記憶蓄積部Ｍｂへ出力する通信Ｉ／ＦＣｂ、記憶蓄積部Ｍｂから読み出したＭＸＦカプセル４を元の映像・音声信号、計測データ、メタデータのファイルに分離出力するＭＸＦアンラッパ５、映像・音声信号を復号化して出力する復号装置（以下ＤＥＣと略す。）６、とＤＥＣ６が出力する映像信号を更に表示器１０で監視するのに都合の良い、例えば、ズームや、分割処理等の映像処理を行う効果処理部７、計測データを映像信号に変換出力する出力Ｉ／Ｆ８、効果処理部７と、出力Ｉ／Ｆ８とから入力される映像信号を重畳して出力する重畳処理部９とを備えている。
【００２３】
また受信サーバＳｂは、上記の各構成とそれぞれの間が内部バス等で接続される内部時計ｂ、制御処理部１１ｂ、制御入力部１２ｂを備え、それらにより映像モニタ表示に係わる制御が行われる。また、表示器１０は、受信サーバＳｂに接続され、重畳処理部９から出力される映像信号を表示する。
【００２４】
ネットワークを介してＭＸＦカプセル４を受信する通信Ｉ／ＦＣｂは、受信パケットを内部バスに出力し、制御処理部１１ｂは、ヘッダ情報、メタデータを解読し、記憶蓄積部Ｍｂへ書込記録する。もし、前述の書込中読み出し（送信）の場合には、当該ファイルが記憶蓄積部Ｍｂへ書込記録される。
【００２５】
もし、リアルタイムに表示するコマンド、もしくは、編集情報がメタデータに記載されている場合は、制御処理部１１ｂは、記憶蓄積部Ｍｂから直ちにＭＸＦアンラッパ５にＭＸＦカプセル４を読み出し入力し、映像音声信号と、計測データとをそれぞれＤＥＣ６、出力Ｉ／Ｆ８へ出力される。
【００２６】
上記の各サーバは、ＣＰＵと記憶装置、通信手段のインタフェース、入出力インタフェース手段、コマンドやデータを入出力する入力手段とを備え、映像、音声を出力するモニタ出力手段が接続されるワークステーション、コンピュータのような汎用の情報処理装置で構成することも可能である。
【００２７】
さて、ＭＸＦカプセル４が、ネットワーク等を介して伝送される場合、この映像モニタシステムは、リモート（遠隔）監視システムと呼ばれることもある。
【００２８】
デジタル放送やマルチメディア素材の配信等では、素材データである映像・音声符号化ファイルと、コンテンツデータの編集管理情報を扱うメタデータによりＭＸＦファイル化が行われる。
【００２９】
本発明の実施例による映像モニタシステムは、このＭＸＦファイル化を応用して、映像・音声と計測データとを組み合わせたＭＸＦファイル（ＭＸＦカプセル４）により受信側で、映像と計測データを同時に表示したり、またそれぞれを独立して編集、調整出来る。
【００３０】
ここでは、外科手術中の状況を通信ネットワークを介して遠隔地に居る医師がモニタ、または、手術状況を映像記録する医療応用の映像モニタシステムを例として取り上げ、その動作、処理手順を説明する。
【００３１】
映像・音声信号は、図示されない監視カメラ映像、および、手術室に設置されたマイクロフォンの音声が入力され、ＥＮＣ１によって例えば、ＭＰＥＧ２ファイル化される。映像信号は、後述の様に電子的にズームしても所要の画像品質が得られる様に高精細映像で有ることが望ましい。
【００３２】
患者の脈拍、血圧、呼吸数、心電図波形等の計測データが入力Ｉ／Ｆ２へ入力され、ＭＸＦファイルに必要なフォーマットに計測データファイル（ｆと略す。）４４が変換される。心電図波形の様な低速データ中でも比較的大きい情報量を有するデータは、音声ファイルと同様にデジタル変換される。
【００３３】
しかしながら、これらの計測データは、音声信号ほどサンプリング速度を高く取る必要が無いので、複数のデータを例えば、放送、音楽に利用されているＭＸＦファイル化における音声１チャネルを伝送するチャネルに更に多重して伝送すれば良い。
【００３４】
送信サーバＳａの入力Ｉ／Ｆ２と受信サーバＳｂの出力Ｉ／Ｆ８とは、互に対応する符号化・多重化手段と分離・復号化手段であって、各サーバが情報処理端末で構成される場合には、各サーバの制御処理部１１、又は内部バスとは、例えば、ＵＳＢインタフェースのようなインタフェース又は、ＣＰＵバスインタフェースで計測データを入出力する。
【００３５】
図２は、計測データのパケット構造の一例を示すパケット構成図である。  
図２において、計測データは、同期・ヘッダＳｙや、誤り制御情報フィールドＥの他、同期フレーム毎に、音声信号フィールドａｆ、心電図フィールドｓｆ、血圧フィールドｐｆ、呼吸数フィールドｂｆ等が割り当てられて時分割多重された計測データファイルに変換される。血圧や、呼吸数などは、例えば３０秒間隔で測定された数値データ（例えば、ＡＳＣＩＩ符号）を伝送するようにしても良い。また、図示は省略するが、従来、入院患者に付けられたセンサ信号をナースセンターに送信する多重化されたリモートモニタ信号を入力Ｉ／Ｆ２が受信して、音声信号の代わりに符号化するものでも良い。こうして作成された計測データは、ファイル化され、ＭＸＦラッパ３へ入力され、更にＭＸＦファイル化の所定の管理を行う制御処理部１１ａの制御によりメタデータとの組合せや識別情報付与等が行われ、ラッピング処理される。
【００３６】
メタデータには、患者の情報や、診療に係わるカルテデータ等の編集情報が含まれ、例えば、メタデータのセグメントエリヤに記述される。また、映像・音声、計測データのタイムタグ情報が含まれる。メタデータには、計測データを音声チャネルのどれに割り当てたかを示すデータも設定されている。
【００３７】
従来、音声多重放送は、例えば、映像１チャネルとそれに対応するステレオ音声チャネル２チャンネルをコンテンツである映像・音声信号として伝送する。ここでは、その様な音声多重放送のコンテンツのＭＸＦファイル化を応用して計測データをステレオ音声１チャンネルと、残りの音声チャネル２チャンネルの内一方を計測データに割り当てることによりＭＸＦファイル化する。
【００３８】
ＭＸＦラッパ３へは、これらの映像・音声信号、計測データファイルと、メタデータとが入力されるが、この計測データは先に述べた如く、ファイル処理上は、多国語放送の１つの国語の音声と同様にコンテンツと見なされてエッセンスデータとして他の各ファイルと共にラッピングされる。
【００３９】
ＭＸＦラッパ３へ入力された各信号、データは、記憶・蓄積部Ｍａにおいて、映像ファイル（ｆ）４１、音声ｆ４２、メタデータｆ４３と、計測データｆ４４とが纏められ、ＭＸＦカプセル４となる様にラッピングされる。このカプセル中の計測データｆ４４は、音声ファイルと同様に見なされるが、メタデータｆ４３に記述された編集情報に計測データであることが規定されている。
【００４０】
この編集情報は、予め、ＭＸＦラッパ３に制御入力部１２ａからメタデータ用の諸データが入力され、制御処理部１１ａは、所定のメタデータ編集ルールに従って、メタデータを作成しＭＸＦラッパ３へ入力する。メタデータの編集ルールは、例えば、Ａｎｙｔｉｍｅ  ＴＶとして知られているものなどを用いる。
【００４１】
次に、ＭＸＦカプセル４は、記憶蓄積部Ｍａから、通信Ｉ／ＦＣａ、ネットワーク、受信サーバＳｂの通信Ｉ／ＦＣｂ等の通信手段を介して記憶蓄積部Ｍｂに書込み記憶される。受信サーバの制御処理部１１ｂは、通信Ｉ／ＦＣｂが出力する通信制御に係わる情報を判読し、ＭＸＦパケット４を記憶蓄積部Ｍｂから読み出してＭＸＦアンラッパ５に出力する。
【００４２】
ＭＸＦアンラッパ５は、ＭＸＦカプセル４を分離し、映像ｆ４１と音声ｆ４２との映像・音声信号をＤＥＣ６へ出力する。メタデータは、内部バス等を介して制御処理部１１ｂで受信、監視される。計測データｆ４４は、出力Ｉ／Ｆ８へ入力され、元の、例えば、心電図波形、脈拍、呼吸数等の表示計測データに復元され、表示器１０に表示する為に重畳処理部９で重畳処理される。
【００４３】
ＤＥＣ６は、ＭＸＦファイルから分離した符号化されている映像・音声信号を効果処理部７へ復元して出力し、効果処理部７では、内部バス等を介して制御処理部１２ｂからオペレータによって入力されるコマンドに従って、例えば、ズーム等の処理が行われたビデオ信号が重畳処理部９へ出力される。
【００４４】
重畳処理部９は、入力される映像信号と表示計測データとを重畳してディスプレイ信号を生成して表示器１０へ出力し、表示器１０でモニタ画像として表示される。
【００４５】
図３は、表示器１０に表示されるモニタ映像例である。  
図３において、画面中央には、外科手術画像（シーン）が表示され、画面右上部には、心電図波形ｇ、血圧の数値「１２０−６５」、呼吸数「１８」と画面右下部には、撮影時刻「１５：１０：２０」が表示されている。
【００４６】
制御入力部１２ｂは、重畳処理部９へ重畳処理に係わるオペレータによって入力されたコマンド、例えば、重畳表示を「する」、「しない」、更には、どの計測データを表示するか、しないか、重畳表示の文字、図形の表示サイズ、表示位置等を指定するコマンドや、制御信号を内部バス等を介して出力する。
【００４７】
例えば、図２では、心電図波形ｇが画面の右上部に表示されているが、仮に画面上モニタの支障になる場合、表示位置を移動するか、非表示とする調整を、表示値１０をオペレータが監視しながら制御処理部１１ｂの例えば、マウスポインタとキーボードによって行う様にする。
【００４８】
従来の映像監視システムでは、送信側で映像・音声信号に計測データを例えば、複合ビデオ信号の様な信号形式で重畳するので、受信側では、計測データの重畳表示を抜き出してして制御できない。または、独立して表示制御するためには別系統の信号を送受信側で複数のチャネルで伝送し、受信側でそれらを重畳するなどの方法に依っており伝送チャネルの制御が必要であった。
【００４９】
さらに、モニタ映像を記録蓄積した場合に、その記録蓄積映像と計測データを同期して表示しつつ、かつ重畳表示を独立して制御できる方法で容易に記録できない問題があった。本発明の実施例では、ＭＸＦファイル化した映像とデータを送受信、又は、書込記録と読み出しを行い、メタデータによって管理することによりこれらの問題が解決出来る。
【００５０】
図４は、本発明の実施例のモニタ映像をＭＸＦファイル化して記録蓄積を行うビデオサーバの構成を示す機能ブロック図である。  
構成は基本的には、図１の実施例と類似しているが、遠隔地点の間で信号を送受信せず、同じ記憶蓄積部Ｍでファイルの書込読み、読み出しを行うので通信Ｉ／ＦＣａ、通信Ｉ／ＦＣｂが不要であること、制御処理部１１、制御入力部１２、内部時計Ｔを１つ備えれば良い。
【００５１】
上記説明から通信処理に係わる部分を除外すれば、記録蓄積を行うビデオサーバの動作内容は、書込中読み出しを含めて容易に推測出来るので詳細説明は省略する。
【００５２】
なお、本発明は、上記主旨を逸脱しない範囲で、各構成の、処理手順等の組合せ、順序を変えて良いことは言うまでもなく、例えば、以上の説明では便宜上、効果処理部７と重畳処理部９とを別構成にしているが一体化しても良く、また出力Ｉ／Ｆ８を更に加えた構成としても良い。
【００５３】
また、上記説明では、図１の送信サーバＳａ、又は図４のビデオサーバＳでＭＸＦカプセル４を生成し、記憶制御部Ｍａ、又は記憶制御部Ｍに書込記憶する処理手順を説明しているが、この記憶蓄積部Ｍａ、Ｍは、ＭＸＦラッパ３に付随するバッファメモリ手段であっても良いことは言うまでも無い。
【００５４】
更にまた、上記説明は、医療応用を例に説明したが、本発明は、他の計測データを利用する応用例に付いても同様に適用可能であることは勿論である。
【００５５】
以上説明した如く、本発明の映像モニタシステムに依れば、映像表示と計測信号とを同期してそれぞれ独立して表示、蓄積のための信号処理することが容易に提供出来る効果がある。
【図面の簡単な説明】
【００５６】
【図１】本発明の実施例に係わる映像モニタシステムの構成を説明する機能ブロック図。
【図２】計測データのパケットを構成するフレームの例を示す構成図。
【図３】映像モニタシステムの表示器に表示されるモニタ映像例。
【図４】本発明の実施例に係わる映像モニタシステムで映像の記録蓄積を行うビデオサーバの構成を示す機能ブロック図。
【符号の説明】
【００５７】
１  符号化装置（ＥＮＣ）
２  入力Ｉ／Ｆ
３  ＭＸＦラッパ
４  ＭＸＦカプセル
４１  映像ファイル（ｆ）
４２  音声ｆ
４３  メタデータｆ
４４  計測データｆ
５  ＭＸＦアンラッパ
６  ＤＥＣ
７  効果処理部
８  出力Ｉ／Ｆ
９  重畳処理部
１０  表示器
１１、１１ａ、１１ｂ  制御処理部
１２、１２ａ、１２ｂ  制御入力部
Ｃａ、Ｃｂ  通信Ｉ／Ｆ
Ｍ、Ｍａ、Ｍｂ  記憶蓄積部
Ｓａ  送信サーバ
Ｓｂ  受信サーバ
Ｔ  内部時計
【図１】
2009239722.tif 000003
【図２】
2009239722.tif 000004
【図３】
2009239722.tif 000005
【図４】
2009239722.tif 000006